(57)【要約】【課題】  被貼着体に貼着されていない状態においても収容物を収容することができ、かつ、被貼着体に貼着された状態においては収容物の脱落を防止する。【解決手段】  ミシン目１１によって切り離し可能な領域を具備し、一方の面に該領域を取り囲むように粘着剤３０が塗布された紙層１０と、粘着剤３０によって紙層１０に剥離可能に接着された剥離紙２０とを設け、剥離紙２０を、紙層１０の粘着剤３０が塗布されていない領域及び該領域の周囲に塗布された粘着剤３０とによって袋部を形成するとともに、紙層１０の粘着剤３０が塗布されていない領域と対向する領域に切り込み２２が形成された袋部形成領域２３と、スリット２１によって袋部形成領域２３と切り離し可能に構成され、粘着剤３０によって紙層１０に剥離可能に構成された剥離領域２４とから構成する。【選択図】図１
2005335251.tif 000002
【特許請求の範囲】
【請求項１】
内側部に切り離し可能な領域を具備し、一方の面に該領域を取り囲むように粘着剤が塗布された第１のシートと、
前記粘着剤によって前記第１のシートに剥離可能に接着された第２のシートとを有し、
前記第２のシートは、
前記第１のシートの前記粘着剤が塗布されていない領域及び該領域の周囲に塗布された粘着剤とによって袋部を形成するとともに、前記第１のシートの前記粘着剤が塗布されていない領域と対向する領域に切り込みが形成された第１の領域と、
前記第１の領域と切り離し可能に構成され、前記粘着剤によって前記第１のシートに剥離可能に構成された第２の領域とを具備するラベル。
【請求項２】
請求項１に記載のラベルにおいて、
前記第１のシートは、前記切り離し可能な領域内に情報記入領域を有することを特徴とするラベル。
【請求項３】
請求項１に記載のラベルにおいて、
前記第１のシートは、前記切り離し可能な領域内に情報記入領域を有し、
前記第２のシートは、前記情報記入領域に対向する領域に感圧発色層が積層されていることを特徴とするラベル。
【請求項４】
請求項１に記載のラベルにおいて、
前記第１のシートは、前記切り離し可能な領域内に情報記入領域を有し、
前記第２のシートは、前記情報記入領域に対向する領域に感熱発色層が積層されていることを特徴とするラベル。
【発明の詳細な説明】
【技術分野】
【０００１】
本発明は、粘着剤によって被貼着体に貼着可能に構成されたラベルに関する。
【背景技術】
【０００２】
従来より、粘着剤によって物品等の被貼着体に貼着可能に構成されたラベルにおいては、その用途に応じて様々な形態で提供され、様々な用途で使用されている。
【０００３】
例えば、配送物に貼着される配送ラベルにおいては、一方の面に粘着剤が塗布されることにより配送物に貼着可能に構成されており、また、この配送物が配送先に配送された後にその一部が切り離されるようになっている。
【０００４】
このような配送ラベルにおいて、切り離される領域の裏面には粘着剤を塗布しておかず、かつ、その領域を切り離すための切り離し線の一部を切り込みにしておくことにより、被貼着体に貼着された場合に袋状となる領域を形成しておき、袋状となった部分にＲＦ−ＩＤメディアを収容する技術が考えられている（例えば、特許文献１参照。）。この技術においては、配送ラベルを配送物に貼着した後、切り込みからＲＦ−ＩＤメディアを収容しておき、配送物が配送先に配送された後にその一部を切り離す際に、袋内に収容されたＲＦ−ＩＤメディアを回収することにより、ＲＦ−ＩＤメディアを用いて配送物の管理をすることができながらも、ＲＦ−ＩＤメディアを容易に回収することができる。
【０００５】
このように、ラベル基材の粘着面の一部には粘着剤を塗布しておかず、かつ、その領域に切り込みを形成し、それにより、被貼着体に貼着された場合に袋状となる領域を形成しておくものにおいては、ラベルが被貼着体に貼着された後にこの切り込みからシート類等の収容物を収容しておくことができるため、例えば、このラベルが貼着される物品の納品書や、ラベルが貼着される物品の配送先へのメッセージカード等を物品に添付して送付することができる。
【特許文献１】特開２００３−２７６３６４号公報
【発明の開示】
【発明が解決しようとする課題】
【０００６】
しかしながら、上述したように、ラベル基材の粘着面の一部には粘着剤を塗布しておかず、かつ、その領域に切り込みを形成し、それにより、被貼着体に貼着された場合に袋状となる領域を形成しておくものにおいては、被貼着体に貼着された場合にはじめて袋状となるため、被貼着体に貼着されていない状態においては、収容物を収容することができないという問題点がある。
【０００７】
また、収容物を収容するための切り込みがラベル基材の表面に形成されているため、被貼着体に貼着された後に収容物が切り込みから脱落してしまう虞れがある。
【０００８】
本発明は、上述したような従来の技術が有する問題点に鑑みてなされたものであって、被貼着体に貼着されていない状態においても収容物を収容することができ、かつ、被貼着体に貼着された状態においては収容物が脱落してしまうことがないラベルを提供することを目的とする。
【課題を解決するための手段】
【０００９】
上記目的を達成するために本発明は、
内側部に切り離し可能な領域を具備し、一方の面に該領域を取り囲むように粘着剤が塗布された第１のシートと、
前記粘着剤によって前記第１のシートに剥離可能に接着された第２のシートとを有し、
前記第２のシートは、
前記第１のシートの前記粘着剤が塗布されていない領域及び該領域の周囲に塗布された粘着剤とによって袋部を形成するとともに、前記第１のシートの前記粘着剤が塗布されていない領域と対向する領域に切り込みが形成された第１の領域と、
前記第１の領域と切り離し可能に構成され、前記粘着剤によって前記第１のシートに剥離可能に構成された第２の領域とを具備する。
【００１０】
また、前記第１のシートは、前記切り離し可能な領域内に情報記入領域を有することを特徴とする。
【００１１】
また、前記第１のシートは、前記切り離し可能な領域内に情報記入領域を有し、
前記第２のシートは、前記情報記入領域に対向する領域に感圧発色層が積層されていることを特徴とする。
【００１２】
また、前記第１のシートは、前記切り離し可能な領域内に情報記入領域を有し、
前記第２のシートは、前記情報記入領域に対向する領域に感熱発色層が積層されていることを特徴とする。
【００１３】
上記のように構成された本発明においては、第２のシートに形成された切り込みから収容物を収容し、その後、第１のシートに塗布された粘着剤によってこのラベルを被貼着体に貼着するために、第２のシートを第１のシートから剥離すると、第２のシートのうち、第２の領域が第１のシートから剥離していき、第１の領域が第２の領域と切り離されて第１のシートに貼着されたままの状態となる。この状態においては、第１のシートの粘着剤が塗布されていない領域及びその周囲に塗布された粘着剤と第１の領域とによって袋部が形成されており、その袋部の内部に収容物が収容されている。その後、このラベルを被貼着体に貼着すると、収容物を収容するための切り込みが形成された第２のシートの第１の領域の周囲が第１のシートに塗布された粘着剤によって被貼着体に貼着された状態となる。さらにその後、第１のシートの内側部に設けられた切り離し可能な領域を第１のシートから切り離すと、袋部の内部に収容された収容物を取り出すことができる。
【発明の効果】
【００１４】
上記のように構成された本発明においては、被貼着体に貼着されていない状態では、第１のシートの粘着剤が塗布されていない領域及びその周囲に塗布された粘着剤と第２のシートの第１の領域とによって袋部が形成されているため、被貼着体に貼着されていない状態において収容物を収容することができる。
【００１５】
また、被貼着体に貼着された状態においては、収容物を収容するための切り込みが形成された第２のシートの第１の領域の周囲が第１のシートに塗布された粘着剤によって被貼着体に貼着されているため、収容物を収容するための切り込みがラベルの表面に表出したおらず、それにより、収容物が脱落してしまうことがなくなる。
【発明を実施するための最良の形態】
【００１６】
以下に、本発明の実施の形態について図面を参照して説明する。
【００１７】
（第１の実施の形態）
図１は、本発明のラベルの第１の実施の形態を示す図であり、（ａ）は積層構造を示す図、（ｂ）は（ａ）に示した紙層１０の表面図、（ｃ）は（ａ）に示した紙層１０を裏面から見た図、（ｄ）は（ａ）に示した剥離紙２０の構造を示す図である。
【００１８】
本形態は図１（ａ）に示すように、第１のシートである紙層１０と第２のシートである剥離紙２０とが、紙層１０の裏面に塗布された粘着剤３０によって剥離可能に接着されて構成されている。
【００１９】
紙層１０は図１（ｂ）に示すように、袋部形成領域１２と、配送伝票を貼付するための配送伝票貼付領域１３とから構成されており、袋部形成領域１２にはミシン目１１が形成され、このミシン目１１の内部が他の領域から切り離し可能に構成されている。また、図１（ｃ）に示すように、紙層１０の裏面には、ミシン目１１によって切り離し可能に構成された領域を取り囲むように粘着剤３０が塗布されている。
【００２０】
また、剥離紙２０は、紙層１０との接着面にシリコン等の剥離剤（不図示）が塗布されており、図１（ｄ）に示すように、第１の領域である袋部形成領域２３と第２の領域である剥離領域２４とがスリット２１を介して切り離し可能に設けられている。袋部形成領域２３は、紙層１０の粘着剤３０が塗布されていない領域及びその領域の周囲に塗布された粘着剤３０とによって袋部を形成するとともに、紙層１０の粘着剤３０が塗布されていない領域と対向する領域に切り込み２２が形成されている。
【００２１】
以下に、上記のように構成されたラベル１の使用方法について説明する。
【００２２】
図２は、図１に示したラベル１の使用方法を説明するための図であり、ラベル１に納品書を収容する場合の使用方法を示す。
【００２３】
まず、剥離紙２０の袋部形成領域２３に形成された切り込み２２から納品書４０を収容する（図２（ａ））。この状態においては、紙層１０の粘着剤３０が塗布されていない領域及びその周囲に塗布された粘着剤３０と袋部形成領域２３とによって袋部が形成されており、この袋部に納品書４０が収容されることになる。
【００２４】
次に、剥離紙２０を紙層１０から剥離すると、剥離紙２０のうち、剥離領域２４が紙層１０から剥離していき、剥離部分が剥離紙２０のスリット２１が形成された領域に達すると、剥離領域２４と袋部形成領域２３とが切り離され（図２（ｂ））、剥離領域２４が紙層１０から剥離され、また、袋部形成領域２３が、紙層１０の粘着剤３０が塗布されていない領域の周囲に塗布された粘着剤３０によって紙層１０に接着されたままの状態となる（図２（ｃ））。この状態においても、紙層１０の粘着剤３０が塗布されていない領域及びその周囲に塗布された粘着剤３０と袋部形成領域２３とによって袋部が形成されており、この袋部に納品書４０が収容された状態となっている。
【００２５】
その後、紙層１０の配送伝票貼付領域１３に配送伝票５０を貼付するとともに、このラベル１を被貼着体である配送物６０に貼着すると、納品書４０を収容するための切り込み２２が形成された袋部形成領域２３の周囲が紙層１０に塗布された粘着剤３０によって配送物６０に貼着された状態となる（図２（ｄ））。これにより、ラベル１が配送物６０に貼着された状態においては、ラベル１の袋部に収容された納品書４０が脱落することがなくなる。
【００２６】
ラベル１が貼着された配送物６０が、ラベル１に貼付された配送伝票５０に記入された配送情報に従って配送先に配送された後、紙層１０の袋部形成領域１２に形成されたミシン目１１によってミシン目１１の内部を切り離し、袋部の内部に収容された納品書４０を取り出すことになる（図２（ｅ））。
【００２７】
（第２の実施の形態）
図３は、本発明のラベルの第２の実施の形態を示す図であり、（ａ）は積層構造を示す図、（ｂ）は（ａ）に示した受領片１１０の表面図、（ｃ）は（ａ）に示した受領片１１０を裏面から見た図、（ｄ）は（ａ）に示した荷札片１２０を表面から見た図である。
【００２８】
本形態は図３（ａ）に示すように、第１のシートである受領片１１０と第２のシートである荷札片１２０とが、受領片１１０の裏面に塗布された粘着剤１３０及び荷札片１２０の表面に塗布された剥離剤１３１とによって剥離可能に接着され、さらに、荷札片１２０の表面の一部に感圧発色層１３２が積層されて構成されている。
【００２９】
受領片１１０は図３（ｂ）に示すように、ミシン目１１１が形成されており、このミシン目１１１の内部に、配送情報を記入するための配送情報記入領域１１２と、この配送ラベル１０１が貼着された配送物の配送先にて受領印を押下するための押印領域１１３とが設けられ、この領域がミシン目１１１を介して他の領域から切り離し可能に構成されている。また、図３（ｃ）に示すように、荷札片１１０の裏面には、ミシン目１１１によって切り離し可能に構成された領域を取り囲むように粘着剤１３０が塗布されている。
【００３０】
また、荷札片１２０は図３（ｄ）に示すように、粘着剤１３０によって受領片１１０と接着される領域にシリコン等の剥離剤１３１が塗布されており、また、第１の領域である袋部形成領域１２３と第２の領域である剥離領域１２４とがスリット１２１を介して切り離し可能に設けられている。袋部形成領域１２３は、受領片１１０の粘着剤１３０が塗布されていない領域及びその領域の周囲に塗布された粘着剤１３０とによって袋部を形成するとともに、受領片１１０の粘着剤１３０が塗布されていない領域と対向する領域に切り込み１２２が形成されている。また、この袋部形成領域１２３の表面には、受領片１１０の配送情報記入領域１１２に記入された配送情報が感圧発色層１３２によって複写される配送情報複写領域１２５が設けられ、この配送情報複写領域１２５内に感圧発色層１３２が積層されている。
【００３１】
以下に、上記のように構成された配送ラベル１０１の使用方法について説明する。
【００３２】
図４は、図３に示した配送ラベル１０１の使用方法を説明するための図であり、配送ラベル１０１に納品書を収容する場合の使用方法を示す。
【００３３】
まず、受領片１１０の配送情報記入領域１１２に、この配送ラベル１０１が貼着される配送物の配送先や配送元、品名等の配送情報を記入すると（図４（ａ））、その記入による圧力が荷札片１２０の表面に積層された感圧発色層１３２に伝わり、それにより、感圧発色層１３２が発色し、受領片１１０の配送情報記入領域１１２に記入された配送情報が感圧発色層１３２に現れる。
【００３４】
次に、荷札片１２０の袋部形成領域１２３に形成された切り込み１２２から納品書４０を収容する（図４（ｂ））。この状態においては、受領片１１０の粘着剤１３０が塗布されていない領域及びその周囲に塗布された粘着剤１３０と袋部形成領域１２３とによって袋部が形成されており、この袋部に納品書１４０が収容されることになる。
【００３５】
次に、荷札片１２０を受領片１１０から剥離すると、荷札片１２０のうち、剥離領域１２４が受領片１１０から剥離していき、剥離部分が荷札片１２０のスリット１２１が形成された領域に達すると、剥離領域１２４と袋部形成領域１２３とが切り離され（図４（ｃ））、剥離領域１２４が受領片１１０から剥離され、また、袋部形成領域１２３が、受領片１１０の粘着剤１３０が塗布されていない領域の周囲に塗布された粘着剤１３０によって受領片１１０に接着されたままの状態となる（図４（ｄ））。この状態においても、受領片１１０の粘着剤１３０が塗布されていない領域及びその周囲に塗布された粘着剤１３０と袋部形成領域１２３とによって袋部が形成されており、この袋部に納品書４０が収容された状態となっている。
【００３６】
その後、この配送ラベル１０１を被貼着体である配送物６０に貼着すると、納品書４０を収容するための切り込み１２２が形成された袋部形成領域１２３の周囲が受領片１１０に塗布された粘着剤１３０によって配送物６０に貼着された状態となる（図４（ｅ））。これにより、配送ラベル１０１が配送物６０に貼着された状態においては、配送ラベル１０１の袋部に収容された納品書４０が脱落することがなくなる。
【００３７】
配送ラベル１０１が貼着された配送物６０が、受領片１１０の配送情報記入領域１１２に記入された配送情報に従って配送先に配送された後、配送物６０の配送先において受領片１１０の押印領域１１３に受領印が押下され、受領片１１０を回収するために、受領片１１０の袋部形成領域１１２に形成されたミシン目１１１によってミシン目１１１の内部を切り離すと、袋部の内部に収容された納品書４０を取り出すことができる（図４（ｆ））。
【００３８】
配送ラベル１０１から納品書４０を取り出すと、荷札片１２０の袋部形成領域１２３が表出し、それにより、袋部形成領域１２３の配送情報複写領域１２５内に積層された感圧発色層１３２に現れた配送情報が視認可能となる（図４（ｇ））。
【００３９】
（第３の実施の形態）
図５は、本発明のラベルの第３の実施の形態を示す図であり、（ａ）は積層構造を示す図、（ｂ）は（ａ）に示した受領片１１０の表面図、（ｃ）は（ａ）に示した受領片１１０を裏面から見た図、（ｄ）は（ａ）に示した荷札片１２０を表面から見た図である。
【００４０】
本形態は図５に示すように、第２の実施の形態にて示したものに対して、感圧発色層１３２の代わりに感熱発色層２３２が荷札片１２０の配送情報複写領域１２５内に積層されている点のみが異なるものである。
【００４１】
以下に、上記のように構成された配送ラベル２０１の使用方法について説明する。
【００４２】
図６は、図５に示した配送ラベル２０１の使用方法を説明するための図であり、配送ラベル２０１に納品書を収容する場合の使用方法を示す。
【００４３】
まず、熱転写プリンタを用いて、受領片１１０の配送情報記入領域１１２に、この配送ラベル２０１が貼着される配送物の配送先や配送元、品名等の配送情報を印刷すると（図６（ａ））、その印刷による熱が荷札片１２０の表面に積層された感熱発色層２３２に伝わり、それにより、感熱発色層２３２が発色し、受領片１１０の配送情報記入領域１１２に印刷された配送情報が感熱発色層２３２に現れる。
【００４４】
次に、荷札片１２０の袋部形成領域１２３に形成された切り込み１２２から納品書４０を収容する（図６（ｂ））。この状態においては、受領片１１０の粘着剤１３０が塗布されていない領域及びその周囲に塗布された粘着剤１３０と袋部形成領域１２３とによって袋部が形成されており、この袋部に納品書１４０が収容されることになる。
【００４５】
次に、荷札片１２０を受領片１１０から剥離すると、荷札片１２０のうち、剥離領域１２４が受領片１１０から剥離していき、剥離部分が荷札片１２０のスリット１２１が形成された領域に達すると、剥離領域１２４と袋部形成領域１２３とが切り離され（図６（ｃ））、剥離領域１２４が受領片１１０から剥離され、また、袋部形成領域１２３が、受領片１１０の粘着剤１３０が塗布されていない領域の周囲に塗布された粘着剤１３０によって受領片１１０に接着されたままの状態となる（図６（ｄ））。この状態においても、受領片１１０の粘着剤１３０が塗布されていない領域及びその周囲に塗布された粘着剤１３０と袋部形成領域１２３とによって袋部が形成されており、この袋部に納品書４０が収容された状態となっている。
【００４６】
その後、この配送ラベル２０１を被貼着体である配送物６０に貼着すると、納品書４０を収容するための切り込み１２２が形成された袋部形成領域１２３の周囲が受領片１１０に塗布された粘着剤１３０によって配送物６０に貼着された状態となる（図６（ｅ））。これにより、配送ラベル２０１が配送物６０に貼着された状態においては、配送ラベル２０１の袋部に収容された納品書４０が脱落することがなくなる。
【００４７】
配送ラベル２０１が貼着された配送物６０が、受領片１１０の配送情報記入領域１１２に印刷された配送情報に従って配送先に配送された後、配送物６０の配送先において受領片１１０の押印領域１１３に受領印が押下され、受領片１１０を回収するために、受領片１１０の袋部形成領域１１２に形成されたミシン目１１１によってミシン目１１１の内部を切り離すと、袋部の内部に収容された納品書４０を取り出すことができる（図６（ｆ））。
【００４８】
配送ラベル２０１から納品書４０を取り出すと、荷札片１２０の袋部形成領域１２３が表出し、それにより、袋部形成領域１２３の配送情報複写領域１２５内に積層された感熱発色層２３２に現れた配送情報が視認可能となる（図６（ｇ））。
【００４９】
また、上述した第２及び第３の実施の形態にて示したものにおいては、剥離紙となるシートを荷札片１２０として使用しているため、コストダウンを図ることができる。
【００５０】
なお、上述した３つの実施の形態においては、ラベルの袋部内に収容物として納品書４０を収容する場合を例に挙げて説明したが、ラベルに収容される収容物としては、納品書４０に限らず、このラベルが貼着される配送物の配送先へのメッセージが記入されたメッセージカードや音声カード、あるいは、配送物の配送状況を管理するためのＲＦ−ＩＤメディア等、ラベル内に収容可能な大きさを有するものであれば様々なものが考えられる。
【００５１】
また、本発明のラベルの形態は、上述したような配送伝票が貼付可能に構成されたものや、配送ラベルの形態に限らず、上記のように被貼着体に貼着可能に構成され、かつ、収容物が収容できる構成のものであれば様々な形態が適用可能である。
【図面の簡単な説明】
【００５２】
【図１】図１は、本発明のラベルの第１の実施の形態を示す図であり、（ａ）は積層構造を示す図、（ｂ）は（ａ）に示した紙層の表面図、（ｃ）は（ａ）に示した紙層を裏面から見た図、（ｄ）は（ａ）に示した剥離紙の構造を示す図である。
【図２】図１に示したラベルの使用方法を説明するための図である。
【図３】本発明のラベルの第２の実施の形態を示す図であり、（ａ）は積層構造を示す図、（ｂ）は（ａ）に示した受領片の表面図、（ｃ）は（ａ）に示した受領片を裏面から見た図、（ｄ）は（ａ）に示した荷札片を表面から見た図である。
【図４】図３に示した配送ラベルの使用方法を説明するための図である。
【図５】本発明のラベルの第３の実施の形態を示す図であり、（ａ）は積層構造を示す図、（ｂ）は（ａ）に示した受領片の表面図、（ｃ）は（ａ）に示した受領片を裏面から見た図、（ｄ）は（ａ）に示した荷札片を表面から見た図である。
【図６】図５に示した配送ラベルの使用方法を説明するための図である。
【符号の説明】
【００５３】
１    ラベル
１０    紙層
１１，１１１    ミシン目
１２，２３，１２３    袋部形成領域
１３    配送伝票貼付領域
２０    剥離紙
２１，１２１    スリット
２２，１２２    切り込み
２４，１２４    剥離領域
３０，１３０    粘着剤
４０    納品書
５０    配送伝票
６０    配送物
１０１，２０１    配送ラベル
１１０    受領片
１１２    配送情報記入領域
１１３    押印領域
１２０    荷札片
１２５    配送情報複写領域
１３１    剥離剤
１３２    感圧発色層
２３２    感熱発色層
【図１】
2005335251.tif 000003
【図２】
2005335251.tif 000004
【図３】
2005335251.tif 000005
【図４】
2005335251.tif 000006
【図５】
2005335251.tif 000007
【図６】
2005335251.tif 000008